(57)【要約】【課題】オープンケーブル規格に対応するデジタル放送受信機では、コンディショナルアクセスカードと接続するためのインターフェースの他、アウトオブバンド信号のための送受信回路やＤＯＣＳＩＳ方式ケーブルモデムを内蔵する必要があり、回路規模が大きく、消費電力も大きくなる。【解決手段】コンディショナルアクセスで制限されたデジタル放送信号を受信するための第１のモジュール（２００）と、コンディショナルアクセスで制限されていないデジタル放送信号を受信する第２のモジュール（１００）とを有し、第１のモジュール（２００）にコンディショナルアクセスカード（２２２）が挿入されているかどうかを第２のモジュール（１００）のホストＣＰＵ（１０８）で判断し、挿入されていないときは、第１のモジュールの電源（２２５）を遮断する。【選択図】図１
2011130229.tif 000002
【特許請求の範囲】
【請求項１】
コンディショナルアクセスで制限されたデジタル放送信号を受信する第１の受信部と、
前記コンディショナルアクセスで制限されたデジタル放送信号を復号する機能を持つコンディショナルアクセスカードとの接続のためのインターフェースと、
前記コンディショナルカードで復号された信号をデコードする第１のデコーダ部と、
前記第１のデコーダ部の出力を暗号化し出力する出力部と、
前記第１の受信部、前記インターフェース、前記第１のデコーダ部及び前記出力部を制御すると共にデジタル放送信号とともに受信したアプリケーションをダウンロードして実行する第１の制御部と、
前記第１の受信部、前記インターフェース、前記第１のデコーダ部、前記出力部及び前記第１の制御部に電力を供給する電源部と
を含む第１のモジュールと、
前記コンディショナルアクセスで制限されていないデジタル放送信号を受信する第２の受信部と、
前記第２の受信部で受信された信号をデコードする第２のデコーダ部と、
前記第１のモジュールの前記出力部の出力信号を受信し復号する入力部と、
前記第２のデコーダ部の信号及び前記入力部で受信した信号をユーザの選択によって選択して処理し、出力する表示処理部と、
前記第２の受信部、前記第２のデコーダ部、前記入力部及び前記表示処理部を制御する第２の制御部と
を含む第２のモジュールとを備え、
前記第２の制御部は、前記コンディショナルアクセスカードが挿入されているかどうかを判断し、前記コンディショナルアクセスカードが挿入されていないと判断したときに、前記第１のモジュールの電源から、前記第１の受信部、前記インターフェース、前記第１のデコーダ部、前記出力部及び前記第１の制御部への電力供給を遮断するよう制御する
デジタル放送受信機。
【請求項２】
コンディショナルアクセスで制限されたデジタル放送信号を受信する第１の受信部と、
前記コンディショナルアクセスで制限されたデジタル放送信号を復号する機能を持つコンディショナルアクセスカードとの接続のためのインターフェースと、
前記コンディショナルカードで復号された信号をデコードする第１のデコーダ部と、
前記第１のデコーダ部の出力を暗号化し出力する出力部と、
前記第１の受信部、前記インターフェース、前記第１のデコーダ部及び前記出力部を制御すると共にデジタル放送信号とともに受信したアプリケーションをダウンロードして実行する第１の制御部と
を含む第１のモジュールと、
前記コンディショナルアクセスで制限されていないデジタル放送信号を受信する第２の受信部と、
前記第２の受信部で受信された信号をデコードする第２のデコーダ部と、
前記第１のモジュールの前記出力部の出力信号を受信し復号する入力部と、
前記第２のデコーダ部の信号及び前記入力部で受信した信号をユーザの選択によって選択して処理し、出力する表示処理部と、
前記第２の受信部、前記第２のデコーダ部、前記入力部及び前記表示処理部を制御する第２の制御部と
を含む第２のモジュールとを備え、
前記第２の制御部は、前記コンディショナルアクセスカードが挿入されているかどうかを判断し、
前記コンディショナルアクセスカードが挿入されていないと判断したときに、前記表示処理部において前記第１のモジュールの前記出力部の出力信号を選択表示できないように制御する
デジタル放送受信機。
【請求項３】
コンディショナルアクセスで制限されたデジタル放送信号を受信する第１の受信部と、
前記コンディショナルアクセスで制限されたデジタル放送信号を復号する機能を持つコンディショナルアクセスカードとの接続のためのインターフェースと、
前記コンディショナルカードで復号された信号をデコードする第１のデコーダ部と、
前記第１のデコーダ部の出力を暗号化し出力する出力部と、
前記第１の受信部、前記インターフェース、前記第１のデコーダ部及び前記出力部を制御すると共にデジタル放送信号とともに受信したアプリケーションをダウンロードして実行する第１の制御部と
を含む第１のモジュールと、
前記コンディショナルアクセスで制限されていないデジタル放送信号を受信する第２の受信部と、
前記第２の受信部で受信された信号をデコードする第２のデコーダ部と、
前記第１のモジュールの前記出力部の出力信号を受信し復号する入力部と、
前記第２のデコーダ部の信号及び前記入力部で受信した信号をユーザの選択によって選択して処理し、出力する表示処理部と、
前記第２の受信部、前記第２のデコーダ部、前記入力部及び前記表示処理部を制御する第２の制御部と
を含む第２のモジュールと、
前記ユーザからの操作指示を前記第１の制御部に伝達する手段とを備え、
前記第２の制御部において前記コンディショナルアクセスカードが挿入されているかどうかを判断し、
前記第２の制御部において前記コンディショナルアクセスカードが挿入されていないと判断されたときは、前記第２の制御部が電源オン／オフ、チャンネル操作、音量操作を含む処理の制御を行い、
前記第２の制御部において前記コンディショナルアクセスカードが挿入されていると判断されていても、前記表示処理部が前記第２のモジュールの前記受信部から信号を選択しているときは、前記第２の受信部における選局の制御を前記第２の制御部で行い、
前記第２の制御部において前記コンディショナルアクセスカードが挿入されていると判断されており、前記表示処理部が前記第１のモジュールから信号を選択しているときは、前記第１の受信部における選局の制御を前記第１の制御部で行なう
ことを特徴とするデジタル放送受信機。
【請求項４】
前記第１の制御部と前記第２の制御部を結ぶ通信手段をさらに備え、
前記第１の制御部と前記第２の制御部とで、ユーザによる入力選択の状態を示す情報を伝達し合うことを特徴とする請求項３に記載のデジタル放送受信機。
【請求項５】
コンディショナルアクセスで制限されたデジタル放送信号を受信する第１の受信部と、
前記コンディショナルアクセスで制限されたデジタル放送信号を復号する機能を持つコンディショナルアクセスカードとの接続のためのインターフェースと、
前記コンディショナルカードで復号された信号をデコードする第１のデコーダ部と、
前記第１のデコーダ部の出力に対し文字をオーバーレイ表示するための処理を行うＯＳＤ処理部と、
前記ＯＳＤ処理部の出力を暗号化し出力する出力部と、
前記第１の受信部、前記インターフェース、前記第１のデコーダ部、前記ＯＳＤ処理部、及び前記出力部を制御すると共にデジタル放送信号とともに受信したアプリケーションをダウンロードして実行する第１の制御部と
を含む第１のモジュールと、
前記コンディショナルアクセスで制限されていないデジタル放送信号を受信する第２の受信部と、
前記第２の受信部で受信された信号をデコードする第２のデコーダ部と、
前記第１のモジュールの前記出力部の出力信号を受信し復号する入力部と、
前記第２のデコーダ部の信号及び前記入力部で受信した信号をユーザの選択によって選択して処理し、出力する表示処理部と、
前記第２の受信部、前記第２のデコーダ部、前記入力部及び前記表示処理部を制御する第２の制御部と
を含む第２のモジュールと、
前記第１の制御部と前記第２の制御部を結ぶ通信手段とを備え、
前記第２の制御部において前記コンディショナルアクセスカードが挿入されているかどうかを判断し、
前記第２の制御部において前記コンディショナルアクセスカードが挿入されていると判断されており、前記第１のモジュールの前記第１の受信部において緊急警報情報を受信した場合、受信した緊急警報情報の優先度が所定値以上のときは、前記第１の制御部で前記ＯＳＤ処理部を制御して、前記緊急警報情報を表す文字のオーバーレイ表示を行うための処理を施した信号を、前記出力部を介して前記表示処理部に送り、
前記受信した緊急警報情報の優先度が所定値より低い場合には、前記第１の制御部から前記第２の制御部に前記緊急警報情報を伝達し、前記第２の制御部で前記緊急警報情報の処理を行なう
ことを特徴とするデジタル放送受信機。
【請求項６】
前記コンディショナルアクセスカードが挿入されていないと前記第２の制御部が判断した場合は前記第２のモジュールの受信部においてケーブル信号を受信し、前記第２の制御部においてチャンネルマップを生成するように構成した請求項１から５のいずれかに記載のデジタル放送受信機。
【請求項７】
前記第１のモジュールを前記第２のモジュールを含む受信機本体に対して着脱可能に構成し、前記第１のモジュールを着脱するインターフェースを前記第２のモジュールに備えたことを特徴とする請求項１から６のいずれかに記載のデジタル放送受信機。
【発明の詳細な説明】
【技術分野】
【０００１】
本発明は、デジタル放送を受信するデジタル放送受信機に関し、特にオープンケーブル規格に対応するデジタル放送受信機に関する。
【背景技術】
【０００２】
近年、各国において地上波のデジタル放送が始まり、アナログ放送を停止してデジタル放送に移行する動きが進んでいる。またケーブル放送においてもデジタル化が進んでいる。この中で米国や韓国ではオープンケーブルと呼ばれるケーブル放送方式を採用しており、非特許文献１にこの方式に基づく受信装置の要求仕様が開示されている。
【０００３】
オープンケーブル方式ではケーブルカードと呼ばれるコンディショナルアクセスカードが定義されており、コンディショナルアクセスの復号のほか、アウトオブバンド（ＯＯＢ）信号の処理を行う。ケーブルカードを使用したオープンケーブル対応の受信機として例えば特許文献１に記載されたものがある。
【０００４】
これまでのデジタル放送受信機ではユーザーインターフェースや選局などといったアプリケーションプログラムがあらかじめ全て組み込まれているのに対し、オープンケーブル対応受信機では、ＯＣＡＰ（Ｏｐｅｎ  Ｃａｂｌｅ  Ａｐｐｌｉｃａｔｉｏｎ  Ｐｌａｔｆｏｒｍ）と呼ばれるミドルウェアが実装されており、アプリケーションプログラムを放送局よりダウンロードしてＯＣＡＰ上で実行するようになっている。ただし、このアプリケーションプログラムはあくまでもケーブル放送に対応するものであり、地上波放送やＤＶＤなどの外部信号の視聴は従来通りの組み込みプログラムにて制御しなければならない。
【０００５】
ダウンロードしたアプリケーションプログラムとあらかじめ組み込まれたアプリケーションプログラムの共存方法については特に規定がなく、例えば特許文献２に記載のように単一の制御装置上でモードを分けたり、起動時にモードを選択したりする方法があった。
【先行技術文献】
【特許文献】
【０００６】
【特許文献１】特表２００８−５１０３５２号公報
【特許文献２】特開２００８−３１０５５３号公報
【非特許文献】
【０００７】
【非特許文献１】Ｏｐｅｎ  Ｃａｂｌｅ  Ｈｏｓｔ  Ｄｅｖｉｃｅ  ２．１  Ｃｏｒｅ  Ｆｕｎｃｔｉｏｎａｌ  Ｒｅｑｕｉｒｅｍｅｎｔｓ  ＯＣ−ＳＰ−ＨＯＳＴ２．１−ＣＦＲ−Ｉ０９−０９０９０４
【発明の概要】
【発明が解決しようとする課題】
【０００８】
オープンケーブル規格に対応するデジタル放送受信機では、ケーブルカードを装着するインターフェースの他、アウトオブバンド信号のための送受信回路やＤＯＣＳＩＳ（Ｄａｔａ  Ｏｖｅｒ  Ｃａｂｌｅ  Ｓｅｒｖｉｃｅ  Ｉｎｔｅｒｆａｃｅ  Ｓｐｅｃｉｆｉｃａｔｉｏｎ）方式ケーブルモデムを内蔵する必要があり、回路規模が大きく、消費電力も大きくなる。またダウンロードアプリケーションと組み込みアプリケーションがチューナなどの同一のハードウェアリソースを共有した場合、ソフトウェアが複雑になり、双方のアプリケーションが同一の制御装置上で動作して問題が生じた場合、問題の解決に時間がかかる。
【０００９】
本発明は、これらの課題を解決して不要な消費電力を削減すると共に、システム構成が簡単で、ユーザの利便性が高いデジタル放送受信機を得ることを目的とする。
【課題を解決するための手段】
【００１０】
本発明ではこのような課題を解決するためになされたもので、本発明のデジタル放送受信機は、
コンディショナルアクセスで制限されたデジタル放送信号を受信する第１の受信部と、
前記コンディショナルアクセスで制限されたデジタル放送信号を復号する機能を持つコンディショナルアクセスカードとの接続のためのインターフェースと、
前記コンディショナルカードで復号された信号をデコードする第１のデコーダ部と、
前記第１のデコーダ部の出力を暗号化し出力する出力部と、
前記第１の受信部、前記インターフェース、前記第１のデコーダ部及び前記出力部を制御すると共にデジタル放送信号とともに受信したアプリケーションをダウンロードして実行する第１の制御部と、
前記第１の受信部、前記インターフェース、前記第１のデコーダ部、前記出力部及び前記第１の制御部に電力を供給する電源部と
を含む第１のモジュールと、
前記コンディショナルアクセスで制限されていないデジタル放送信号を受信する第２の受信部と、
前記第２の受信部で受信された信号をデコードする第２のデコーダ部と、
前記第１のモジュールの前記出力部の出力信号を受信し復号する入力部と、
前記第２のデコーダ部の信号及び前記入力部で受信した信号をユーザの選択によって選択して処理し、出力する表示処理部と、
前記第２の受信部、前記第２のデコーダ部、前記入力部及び前記表示処理部を制御する第２の制御部と
を含む第２のモジュールとを備え、
前記第２の制御部は、前記コンディショナルアクセスカードが挿入されているかどうかを判断し、前記コンディショナルアクセスカードが挿入されていないと判断したときに、前記第１のモジュールの電源から、前記第１の受信部、前記インターフェース、前記第１のデコーダ部、前記出力部及び前記第１の制御部への電力供給を遮断するよう制御するものである。
【発明の効果】
【００１１】
本発明によれば、不要な電力を消費しないようにすることができるという効果がある。また、ダウンロードしたアプリケーションによる処理と組み込みアプリケーションによる処理が別々の制御部で行なわれるので、ソフトウェア上の問題が生じた場合の解決が容易である。
【図面の簡単な説明】
【００１２】
【図１】この発明の実施の形態１のデジタル放送受信機を示すブロック図である。
【図２】この発明の実施の形態２のデジタル放送受信機の一部を示すブロック図である。
【図３】この発明の実施の形態３のデジタル放送受信機の一部を示すブロック図である。
【図４】この発明の実施の形態４のデジタル放送受信機の一部を示すブロック図である。
【図５】この発明の実施の形態５のデジタル放送受信機の一部を示すブロック図である。
【発明を実施するための形態】
【００１３】
実施の形態１．
図１はこの発明の実施の形態１のデジタル放送受信機を示すブロック図である。
図示のデジタル放送受信機は、基本モジュール１００と、付加モジュール（ケーブル放送受信モジュール）２００とを有する。
基本モジュール１００は、入力端子１０１、１０２、チューナ１０３、ＡＴＳＣ／ＱＡＭ復調部１０４、デコーダ１０５、表示処理部１０６、ホストＣＰＵ１０８、ＨＤＭＩ受信部１０９、インターフェース１１０、及び操作指示受信部１１２を有する。
【００１４】
操作指示受信部１１２は、ユーザにより操作指示入力が行なわれる、例えばキー入力手段やリモコンで構成される操作指示入力部１１３からの信号を受け、ホストＣＰＵ１０８に伝える。
【００１５】
付加モジュール２００は、入出力端子２１０、ダイプレクサ２１２、チューナ２１３、２１５、２１８、ＱＡＭ復調部２１４、ＱＰＳＫ復調部２１６、ＱＡＭ復調部２１９、ＤＯＣＳＩＳ処理部２２０、ケーブルカードインターフェース２２７、デコーダ２２３、ＨＤＭＩ送信部２２６、ホストＣＰＵ２２４、ＱＰＳＫ変調部２１７、ＱＡＭ変調部２１９、スイッチ２１１、及び電源２２５を有する。
【００１６】
付加モジュール２００には、コンディショナルアクセスカードとしてのケーブルカード２２２が着脱可能に挿入され、挿入された状態では、ケーブルカード２２２は、インターフェース２２７を介して、ホストＣＰＵ２２４、ＱＡＭ復調部２１４、ＱＰＳＫ復調部２１６、及びデコーダ２２３と接続される。
【００１７】
付加モジュール２００は、基本モジュール１００を含むデジタル放送受信機本体（図示しない）に対して着脱可能に装着され、装着された状態でインターフェース１１０を介して基本モジュール１００と図示のように接続される。
【００１８】
付加モジュール２００の入出力端子２１０はケーブル放送信号を送受信し、ダイプレクサ２１２はケーブル放送信号を受信信号と送信信号に分離合成する。
入出力端子２１０における受信信号は、映像音声信号の他、番組情報やコンディショナルアクセスのためのＯＯＢ信号を含むものであり、ダイプレクサ２１２で分離された後、チューナ２１３、２１５、及び２１８に供給される。
【００１９】
チューナ２１３は映像信号チャンネルにチューニング（選局）し、チューニングされた映像信号はＱＡＭ復調部２１４によってビットストリームに復調された後、ケーブルカード２２２に供給される。このビットストリームはコンディショナルアクセスにより暗号化されており、ケーブルカード２２２において復号（スクランブル解除）される。
【００２０】
ケーブルカード２２２により復号されたビットストリームはＤＥＳ（Ｄａｔａ  Ｅｎｃｒｙｐｔｉｏｎ  Ｓｔａｎｄａｒｄ）方式で暗号化されており、デコーダ２２３に送信される。デコーダ２２３ではＤＥＳ暗号を解除したのちデコード処理を行い、ベースバンドビデオ信号を再現する。なお、オーディオ信号も同様に再現されるが、説明を簡略化するため以下ではビデオ信号についてのみ説明する。
【００２１】
ＯＯＢ信号はチューナ２１５によりチューニング（選局）され、ＱＰＳＫ復調部２１６によってデータストリームに復調された後、ケーブルカード２２２に供給される。ケーブルカード２２２ではＯＯＢ信号よりコンディショナルアクセスを解除するための信号（鍵）や放送中の番組情報などを取得する。ＯＯＢ信号はＳＣＴＥ５５規格によって規定されており、ケーブルカード２２２は、ケーブルカードインターフェース２２７を通じてホストＣＰＵ２２４と通信を行う。
【００２２】
ＱＡＭ復調部２１４、及びＱＰＳＫ復調部２１６の出力信号もインターフェース２２７を通じてケーブルカード２２２に供給され、逆にケーブルカード２２２から後述のＱＰＳＫ変調部２１７、及びデコーダ２２３への信号伝達もインターフェース２２７を介して行われる。
【００２３】
コンディショナルアクセス解除のための機器固有情報やビデオオンデマンド等のためにデジタル放送受信機から放送局へ送信するデータストリームはＱＰＳＫ変調部２１７に送信され、スイッチ２１１を通してダイプレクサ２１２に供給される。この送信周波数はあらかじめ決められた周波数範囲内の指定された周波数帯を使用しており、ダイプレクサ２１２により入力信号に合成される。
【００２４】
ＤＯＣＳＩＳ信号はチューナ２１８によりチューニングされ、ＱＡＭ復調部２１９によってデータストリームに復調された後ＤＯＣＳＩＳ処理部２２０によって処理される。オープンケーブル規格ではＯＯＢ信号をＤＳＧ（ＤＯＣＳＩＳ  Ｓｅｔ−ｔｏｐ  Ｇａｔｅｗａｙ）と呼ばれるシステムを用いてＤＯＣＳＩＳ方式により伝送することが規定されている。放送局がＯＯＢのシステムを採用している場合もあり、ＤＯＣＳＩＳのシステムを採用している場合もあるため、デジタル放送受信機では両方の回路を備えるが、個々の受信機においては、ＯＯＢかＤＯＣＳＩＳいずれか一つの回路のみが使用される。
【００２５】
ＤＯＣＳＩＳ方式によるデジタル放送受信機から放送局への送信は、ＱＡＭ変調部２２１で変調された信号を、スイッチ２１１を通してダイプレクサ２１２に供給することで行われる。
【００２６】
ホストＣＰＵ２２４はインターフェース２２７を介してケーブルカード２２２と通信を行い、ケーブルカード２２２からの信号に基づいて、デジタル放送受信機が設置されたケーブルシステムにおいてＯＯＢとＤＯＣＳＩＳのいずれが使用されるか判断し、判断結果に応じて使用する回路を決定し、スイッチ２１１を制御する。即ち、ＯＯＢを使用する場合には、スイッチ２１１は、ＱＰＳＫ変調部２１７の出力をダイプレクサ２１２に伝達し、ＤＯＣＳＩＳを使用する場合には、スイッチ２１１は、ＱＡＭ変調部２２１の出力をダイプレクサ２１２に伝達するように制御される。
【００２７】
ホストＣＰＵ２２４は付加モジュール２００の回路群の制御部としての役割を果たすものであり、ＯＣＡＰミドルウェアを実装しており、図示しないブートメモリやワーキングメモリを使用し、自立して動作するようになっている。また上記のデータストリーム中の一部領域を使用して送信されるアプリケーションプログラムを受信し、ＯＣＡＰミドルウェア上で実行し、ＥＰＧ（Ｅｌｅｃｔｒｏｎｉｃ  Ｐｒｏｇｒａｍ  Ｇｕｉｄｅ）やビデオオンデマンドなどの様々な動作を実現する。このように、視聴のために利用されるアプリケーションプログラムが放送局からの信号の一部として伝達され、ダウンロードすることで取得される。
【００２８】
付加モジュール２００の上記の回路群（チューナ２１３、２１５、２１８、復調部２１４、２１６、２１９、変調部２１７、２２１、ＤＯＣＳＩＳ処理部２２０、デコーダ２２３、ＨＤＭＩ送信部２２６、インターフェース２２７、及びケーブルカード２２２）は、付加モジュール２００内に設けられた専用の電源２２５から電力の供給を受ける。この専用の電源２２５は、基本モジュールを含む受信機の他の部分のための電源（図示しない）とは別個独立にオン／オフ可能なものである。
【００２９】
地上波放送やコンディショナルアクセスで保護されていないケーブル信号は基本モジュール１００の入力端子１０１で受信され、チューナ１０３により所望のチャンネルへのチューニング（選局）が行なわれる。ＡＴＳＣ／ＱＡＭ復調部１０４は、チューナ１０３で選局された信号の復調を行う。デコーダ１０５は復調された映像信号のビットストリームをデコードする。
【００３０】
入力端子１０２はＤＶＤ等から再生されたベースバンドビデオ信号（放送信号以外の信号）を受信する。デコーダ１０５の出力信号及び入力端子１０２からの信号は表示処理部１０６に供給される。
【００３１】
ホストＣＰＵ１０８は、基本モジュール１００内の回路群の制御部としての役割を果たすものであり、図示しないブートメモリやワーキングメモリを使用し、自立して動作するようになっており、その実行プログラムはあらかじめ決められ、組み込まれている。
【００３２】
上記のうち、チューナ１０３、及び復調部１０４で基本モジュール１００の受信部が構成されている。一方、チューナ２１３、２１５、及び２１８と、復調部２１４、２１６、及び２１９とで付加モジュールの受信部が構成されている。
【００３３】
デコーダ２２３より出力される付加モジュール２００の出力信号はインターフェース１１０を介してモジュール１００の表示処理部１０６に供給される。
表示処理部１０６は、ホストＣＰＵ１０８の制御に基づき、付加モジュール２００の出力信号、デコーダ１０５の出力信号、及び入力端子１０２からの入力信号のいずれかを選択し、種々の調節を行った上で、出力し、出力された信号は、出力端子１０７を介して表示装置１１５に送信される。ホストＣＰＵ１０８は、表示処理部１０６による上記の選択を、操作指示入力部１１３を用いたユーザの操作指示に応じて制御する。
【００３４】
デコーダ２２３と表示処理部１０６の間はコンテンツ保護のためＨＤＭＩ（High-Definition  Multimedia  Interface）等を使用し暗号処理を行う。そのため、デコーダ２２３から出力される映像データは、ＨＤＭＩ送信部２２６において、ＨＤＭＩフォーマットに変換され、変換後の映像データがインターフェース１１０を介して基本モジュール１００内のＨＤＭＩ受信部１０９に送信され、ＨＤＭＩ受信部１０９が、受信した映像データを元の映像データ（ＨＤＭＩ変換前の映像データ）に復元する。このように、ＨＤＭＩ送信部２２６は、付加モジュール２００から基本モジュール１００への信号の出力部として作用し、ＨＤＭＩ受信部１０９は、基本モジュール１００において、付加モジュール２００からの信号を受信する入力部として作用する。
【００３５】
またホストＣＰＵ１０８とホストＣＰＵ２２４の間ではモジュール間の協調動作を行うため通信が、例えばＵＡＲＴで構成される通信手段２３５を介して行われる。
【００３６】
付加モジュール２００の動作はケーブルカード２２２により制約される。すなわち、ケーブルカード２２２が挿入されていない場合、受信機はコンディショナルアクセスで制限されていない信号のみ処理することが許されており、ＯＯＢも使用することは出来ない。このような場合においてはモジュール１００のみで動作をすることが可能である。このようなＯＣＡＰに対応する付加モジュール２００を備えたデジタル放送受信機であっても、ユーザの選択により一時的又は長期的にケーブル受信機能を使用しない場合がある。
【００３７】
ケーブルカード２２２のインターフェース２２７はＰＣカード規格に準拠し、インターフェースの両端にカード検出ピン２２９が２本配置されている(１本のみ図示している)。この検出ピン２２９は電源電位（基本モジュール１００の電源電位）にプルアップされており、ケーブルカード２２２が挿入されていない状態では電源電位となり、ケーブルカード２２２が挿入された状態ではグランド電位になる。このカード検出ピン２２９から得られる検出信号は基本モジュール１００のホストＣＰＵ１０８に供給され、ホストＣＰＵ１０８によりケーブルカード２２２の有無が判定される。ホストＣＰＵ１０８は、この判定結果に基づき、付加モジュール２００にケーブルカード２２２が挿入されていない場合（従って、検出ピン２２９の電位が電源電位となっている場合）は電源２２５をオフにして付加モジュール２００の動作を停止させる。
【００３８】
一方、電源２２５がオフの状態において、ケーブルカード２２２が挿入されると、検出ピン２２９がグランド電位となり、該挿入が検出される。ケーブルカード２２２が挿入された場合は電源２２５をオンにして付加モジュール２００を起動すると共に、通信手段２３５を介するホストＣＰＵ１０８、２２４間の通信により、ホストＣＰＵ２２４にカードの挿入を通知し、ホストＣＰＵ２２４がケーブルカードの起動動作を開始できるようにする。
【００３９】
以上のようにケーブルカード２２２が挿入されていない場合に付加モジュール２００の電源２２５を遮断することによって不要な電力を消費しないようにすることができる。また、２つのホストＣＰＵの一方で、ダウンロードされたアプリケーションによる処理を行い、他方で組み込みアプリケーションによる処理を行なうので、ソフトウェア上の問題が起きたときの解決が容易である。さらに、上記の付加モジュール２００を着脱可能に構成することで、基本モジュール１００のみを含む基本型のデジタル放送受信機の製造と、基本モジュール１００と付加モジュール２００の双方を含む高機能型デジタル放送受信機の製造を選択的に容易に行うことが出来る。
【００４０】
実施の形態２．
図２はこの発明の実施の形態２のデジタル放送受信機の一部を示すブロック図である。実施の形態２のデジタル放送受信機は概して実施の形態１のデジタル放送受信機と同じであり、基本モジュール１００の表示処理部１０６よりも左側の部分、付加モジュール２００のホストＣＰＵ２２４及びデコーダ２２３よりも左側の部分は図示を省略している。
【００４１】
図において実施の形態１の図１と同一の番号を付与した部分は概して同様の動作を行うが、以下の点で異なる。
【００４２】
実施の形態１と同様に、ケーブルカード２２２の検出ピン２２９からの検出信号はインターフェース１１０を介してホストＣＰＵ１０８に供給され、ホストＣＰＵ１０８において検出処理が行なわれる。
【００４３】
ケーブルカード２２２が挿入されていないと判断された場合、付加モジュール２００は動作する必要は必ずしも無い。そのため付加モジュール２００をスタンバイ状態にしたり、電源２２５を遮断したりする場合がある。このとき、デコーダ２２３の出力信号は無信号状態となる。表示処理部１０６がこの信号状態の信号を選択して出力し、これに基づき表示装置１１５が表示を行うと、ユーザが装置の故障と受け止めるなどの混乱が生じ得る。そこで、ホストＣＰＵ１０８は、表示処理部１０６を制御してデコーダ２２３からの入力をあらかじめ選択できないようにし、入力端子１０２又はデコーダ１０５の信号のみを表示するように制御する。このようにあらかじめ有効な表示データを持たない入力信号を選べないようにすることによって、無信号の表示を避け、ユーザの混乱を未然に防止する。
【００４４】
実施の形態３．
図３はこの発明の実施の形態３のデジタル放送受信機の一部を示すブロック図である。実施の形態３のデジタル放送受信機は概して実施の形態１のデジタル放送受信機と同じであり、基本モジュール１００の表示処理部１０６よりも左側の部分、付加モジュール２００のホストＣＰＵ２２４及びデコーダ２２３よりも左側の部分は図示を省略している。
【００４５】
図において実施の形態１の図１と同一の番号を付与した部分は同様の動作を行うが、以下の点で異なる。本実施の形態のデジタル放送受信機にはメモリ１２０が付加されている。メモリ１２０は、チャンネルマップの作成に用いられる。
【００４６】
実施の形態１及び２と同様に、ケーブルカード２２２の検出ピン２２９からの検出信号はインターフェース１１０を介してホストＣＰＵ１０８に供給され、ホストＣＰＵ１０８において検出処理が行なわれる。
【００４７】
ケーブルカード２２２が挿入されていないと判断された場合、付加モジュール２００は動作する必要は必ずしも無い。そのため付加モジュール２００をスタンバイ状態にしたり、電源２２５を遮断したりする場合がある。このとき、コンディショナルアクセスで保護されていないケーブル放送信号の受信はホストＣＰＵ１０８により制御され、基本モジュール１００により処理される。すなわち、基本モジュール１００の受信部（１０３、１０４）において、ケーブル信号を受信する。そして、ホストＣＰＵ１０８において、チャネルマップを生成する。そのため、受信したチャンネルについてはモジュール１００内に設けられたメモリ１２０にチャンネル情報を記録し、記録したチャネル情報を次回の選局動作に利用する。
【００４８】
またケーブルカード２２２が挿入されていないと判定されている場合に、ユーザが初期設定のためのチャンネルスキャン動作を指示した場合においては、ホストＣＰＵ１０８は基本モジュール１００を使用して全てのケーブル放送チャンネルをスキャンし、コンディショナルアクセスで保護されていない信号を含むチャンネルを検出した場合、同様にメモリ１２０にチャンネル情報を記憶する。ホストＣＰＵ１０８はユーザより操作指示入力部１１３及び操作指示受信部１１２を用いてチャンネルのアップ／ダウンなどの選局指示があった場合、メモリ１２０に記録されたチャンネル情報を読み出し、読み出した情報を利用して選局動作を行う。
【００４９】
このように構成することにより、ケーブルカード２２２を入手していないユーザでも継続してコンディショナルアクセスで保護されていないケーブル放送を視聴することができる。
【００５０】
実施の形態４．
図４はこの発明の実施の形態４のデジタル放送受信機の一部を示すブロック図である。実施の形態４のデジタル放送受信機は概して実施の形態１のデジタル放送受信機と同じであり、基本モジュール１００の表示処理部１０６よりも左側の部分、付加モジュール２００のホストＣＰＵ２２４及びデコーダ２２３よりも左側の部分は図示を省略している。
【００５１】
図において実施の形態１の図１と同一の番号を付与した部分は同様の動作を行うが、以下の点で異なる。
【００５２】
本実施の形態では、操作指示受信部１１２で受信された操作指示入力部１１３からの操作指示はホストＣＰＵ１０８に伝達されるとともに、ホストＣＰＵ２２４にも直接（即ち、ホストＣＰＵ１０８を介することなく）伝達される。
ただし、ホストＣＰＵ１０８とホストＣＰＵ２２４は、通信手段２３５で結合されており、ユーザによる入力信号の選択の状態を示す情報は、通信手段２３５を介してホストＣＰＵ１０８とホスト２２４との間で相互に伝達され、両者間で共有されている。
【００５３】
実施の形態１〜３と同様に、ケーブルカード２２２の検出ピン２２９からの検出信号はインターフェース１１０を介してホストＣＰＵ１０８に供給され、ホストＣＰＵ１０８において検出処理が行なわれる。
【００５４】
ホストＣＰＵ１０８において、ケーブルカード２２２が挿入されていないと判断された場合、操作指示入力部１１３及び操作指示受信部１１２を用いたユーザの操作指示によりホストＣＰＵ１０８は表示処理部１０６を制御し、表示処理部１０６は、ホストＣＰＵ１０８に制御されて、入力端子１０２からの入力信号か、デコーダ１０５の出力信号のいずれかを選択して出力する。この場合、受信機の
電源オン／オフやチャンネル操作（例えばそのためのチャンネルアップダウン操作）、音量操作(ミュート操作を含む)や、例えば種々の機能のメニュー選択や電子番組表上での番組の選択などのための数字キー、上下左右キーの操作など、残りのキー操作などもホストＣＰＵ１０８において専ら処理される。
【００５５】
またホストＣＰＵ１０８においてケーブルカード２２２が挿入されていることが検出されている場合であっても、ユーザによる操作指示により、表示処理部１０６が、ホストＣＰＵ１０８に制御されて、入力端子１０２からの入力信号又はデコーダ１０５の出力信号を選択している場合にも、上記と同様に、
電源オン／オフやチャンネル操作（例えばそのためのチャンネルアップダウン操作）、音量操作(ミュート操作を含む)や、例えば種々の機能のメニュー選択や電子番組表上での番組の選択などのための数字キー、上下左右キーの操作など、残りのキー操作などもホストＣＰＵ１０８において専ら処理される。
【００５６】
一方、ホストＣＰＵ１０８においてケーブルカード２２２が挿入されていることが検出されており、かつ表示処理部１０６において、ユーザによる入力選択によりデコーダ２２３の出力信号が選ばれている場合は、選局動作（例えばそのためのチャンネルアップダウン操作）や、例えば種々の機能のメニュー選択や電子番組表上での番組の選択などのための数字キー、上下左右キーの操作など、残りのキー操作はホストＣＰＵ２２４上で実行されているダウンロードアプリケーションにより処理され、電源オン／オフや音量操作（ミュート操作を含む）はホストＣＰＵ１０８において処理される。
【００５７】
このように、ホストＣＰＵ１０８はケーブルカード２２２の挿入状態とユーザによる入力選択の状態を把握しており、把握した状態に応じて、操作指示入力部１１３及び操作指示受信部１１２を用いて入力された操作指示のうちあらかじめ決められた入力のみを処理する。
一方、ホストＣＰＵ２２４は通信手段２３５による通信によりホストＣＰＵ１０８からケーブルカード２２２の挿入状態とユーザによる入力選択状態を示す情報を取得し、操作指示入力部１１３及び操作指示受信部１１２を用いて入力された操作指示のうち、チャンネル操作（例えばそのためのチャンネルアップダウン操作）又は例えば種々の機能のメニュー選択や電子番組表上での番組の選択などのための数字キー操作や上下左右キー操作など、ホストＣＰＵ１０８が処理を行わない、あらかじめ決められた入力の処理を行なう。
【００５８】
以上のようにユーザによりどちらの信号が選択されているかを示す情報をホストＣＰＵ１０８とホストＣＰＵ２２４で共有するので、音量操作やチャンネル変更などのユーザ入力を適切に実行することが出来る。
【００５９】
なお操作指示入力部１１３及び操作指示受信部１１２を用いて入力された操作指示を上記のようにホストＣＰＵ２２４に直接入力せず、一旦ホストＣＰＵ１０８で受信し、通信手段２３５によってケーブルカード２２２の挿入状態を示す情報とユーザによる入力選択状態を示す情報と共にホストＣＰＵ２２４に伝送するようにしても良い。
【００６０】
実施の形態５．
図５はこの発明の実施の形態５のデジタル放送受信機の一部を示すブロック図である。実施の形態５のデジタル放送受信機は概して実施の形態１のデジタル放送受信機と同じであり、基本モジュール１００の表示処理部１０６よりも左側の部分、付加モジュール２００のホストＣＰＵ２２４及びデコーダ２２３よりも左側の部分は図示を省略している。
【００６１】
図において実施の形態１の図１と同一の番号を付与した部分は同様の動作を行うが、以下の点で異なる。また、本実施の形態のデジタル放送受信機には、ＯＳＤ処理部２４１が付加されている。ＯＳＤ処理部２４１は、後述のように緊急警報を表す文字情報を映像に重ねて表示する（オーバーレイ表示する）ための処理を行う。また、表示処理部１０６も、ＯＳＤ処理部２４１と同様のオーバーレイ表示を行うための機能を有する。
【００６２】
実施の形態１〜４と同様に、ケーブルカード２２２の検出ピン２２９からの検出信号はインターフェース１１０を介してホストＣＰＵ１０８に供給され、ホストＣＰＵ１０８において検出処理が行なわれる。
【００６３】
ケーブルカード２２２が挿入され、付加モジュール２００が動作をしている場合に、付加モジュール２００で緊急警報情報例えばＥＡＳ（Ｅｍｅｒｇｅｎｃｙ  Ａｌｅｒｔ  Ｓｙｓｔｅｍ）メッセージを受信することがある。緊急警報情報の表示は政府により表示が義務付けられている場合がある。
【００６４】
表示処理部１０６が付加モジュール２００からの信号を選択して出力しており、付加モジュール２００で緊急警報を受信し、ホストＣＰＵ２２４でＥＡＳメッセージの受信を検知した場合には、ＥＡＳ信号の受信及び処理は付加モジュール２００内で行われ、ＯＳＤ処理部２４１は、ＥＡＳメッセージ内容に従い、メッセージ（を表す文字）をオーバーレイ表示したり、指定の放送チャンネル（ＥＡＳメッセージやそれに関連する詳細な情報を放送しているチャンネル）にチューニングしたりする。
【００６５】
表示処理部１０６が入力端子１０２からの入力信号又はデコーダ１０５の信号を選択して出力しており、付加モジュール２００で緊急警報を受信し、ホストＣＰＵ２２４でＥＡＳメッセージの受信を検知した場合には、ＥＡＳ信号の受信及び処理は付加モジュール２００内で行われ、ホストＣＰＵ２２４ではメッセージパケット中の優先度を確認し、優先度が所定値、例えば「１１」以上の場合は上記と同様に付加モジュール２００内で処理を行い、メッセージ内容に従いＯＳＤ処理部２４１によりメッセージ（を表す文字）をオーバーレイ表示したり、指定の放送チャンネル（ＥＡＳメッセージやそれに関連する詳細な情報を放送しているチャンネル）にチューニングしたりする。一方通信手段２３５によりホストＣＰＵ２２４はホストＣＰＵ１０８に強制信号切り替え要求を行い、ホストＣＰＵ１０８はこの要求を受信した場合表示処理部１０６を制御してモジュール２００の信号（ＥＡＳメッセージやそれに関連する詳細な情報を放送しているチャンネルの信号）を出力端子１０７に出力する。
【００６６】
またホストＣＰＵ２２４でＥＡＳメッセージパケット中の優先度を確認した結果、優先度が所定値１１より小さい場合は、ＯＳＤ処理部２４１によるメッセージの表示等は行わず、通信手段２３５によりメッセージパケットをホストＣＰＵ１０８に転送する。ホストＣＰＵ１０８は受信したメッセージを復元し、表示処理部１０６で、視聴中の映像にオーバーレイ表示する。
【００６７】
以上のように、本実施の形態では、付加モジュール２００においてＥＡＳメッセージを受信した場合、該ＥＡＳメッセージの優先度に応じて、ホストＣＰＵ２２４又はホストＣＰＵ１０８のいずれかによりメッセージを処理する。ユーザによる入力信号の選択の状態と表示の状態に関係なく、ＥＡＳメッセージを受信した場合に優先度に応じて適切な表示を行うことが出来る。
【００６８】
なおケーブルカード２２２が挿入されておらず、基本モジュール１００で緊急警報を受信し、ホストＣＰＵ１４８でＥＡＳメッセージの受信を検知した場合には、ホストＣＰＵ１４８においてメッセージパケット中の優先度を確認し、優先度に応じて、表示処理部１０６を用いてメッセージ（を表す文字）をオーバーレイ表示したり、指定の放送チャンネル（ＥＡＳメッセージやそれに関連する詳細な情報を放送しているチャンネル）にチューニングしたりする。
【００６９】
実施の形態１〜５の特徴は互いに組合せることが可能である。例えば、実施の形態１に関して説明した、付加モジュール２００の専用の電源２２５を設け、ケーブルカード２２２が挿入されていないときに電源２２５をオフにするという特徴は、実施の形態２〜４のデジタル放送受信機に適用することが可能である。このことを示すため、図２〜５には、図１と同様、付加モジュール２００が別個の電源２２５を有するものとして図示している。しかし、実施の形態２〜５においては、付加モジュール２００が別個の電源２２５を持つことは必須ではなく、基本モジュール１００の電源により、付加モジュール２００内の回路に給電することとしても良い。
【００７０】
また、実施の形態２に関して説明した特徴（ケーブルカード２２２が挿入されていないとき、基本モジュールの表示処理部で付加モジュールの出力信号を選択しないようにすること）を、実施の形態１、３、４、５のデジタル放送受信機に適用することとしても良い。
同様に、実施の形態３に関して説明した特徴（ケーブル放送のうち、ケーブルカード２２２による制約のない放送を基本モジュール１００で受信し、チャンネルマップを作成する）という特徴を、実施の形態１、２、４、５のデジタル放送受信機に適用することとしても良い。
同様に、実施の形態４に関して説明した特徴（操作指示を付加モジュール２００のホストＣＰＵ２２４に直接送り、ホストＣＰＵ間で処理を分担する）を実施の形態１、２、３、５のデジタル放送受信機に適用することとしても良い。
同様に、実施の形態５に関して説明した特徴（緊急警報情報の処理）を実施の形態１〜４のデジタル放送受信機に適用することとしても良い。
【符号の説明】
【００７１】
１００  基本モジュール、  １０１  入力端子、  １０２  入力端子、  １０３  チューナ、  １０４  ＡＴＳＣ／ＱＡＭ復調、  １０５  デコーダ、  １０６  表示処理部、  １０７  出力端子、  １０８  ホストＣＰＵ、  １１２  操作指示受信部、  １１３  操作指示入力部、  １２０  メモリ、  ２００  付加モジュール、  ２１０  入出力端子、  ２１１  スイッチ、  ２１２  ダイプレクサ、  ２１３  チューナ、  ２１４  ＱＡＭ復調部、  ２１５  チューナ、  ２１６  ＱＰＳＫ復調部、  ２１７  ＱＰＳＫ変調部、  ２１８  チューナ、  ２１９  ＱＡＭ復調部、  ２２０  ＤＯＣＳＩＳ処理部、  ２２１  ＱＡＭ変調部、  ２２２  ケーブルカード、  ２２３  デコーダ、  ２２４  ホストＣＰＵ、  ２２５  電源、  ２４１  ＯＳＤ処理部。
【図１】
2011130229.tif 000003
【図２】
2011130229.tif 000004
【図３】
2011130229.tif 000005
【図４】
2011130229.tif 000006
【図５】
2011130229.tif 000007